【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
像形成体、潜像形成手段、現像手段、転写ローラによりトナー像を前記像形成体から転写材に転写する転写手段及び前記像形成体に潤滑剤を塗布する潤滑剤塗布手段を有する画像形成装置において、
前記像形成体上のトナー付着量を検知する検知手段及び該検知手段の出力に基づいて、前記潤滑剤塗布手段を制御する制御手段を有することを特徴とする画像形成装置。
【請求項２】
前記潤滑剤塗布手段は、潤滑剤供給及び該潤滑剤供給体に接触するブラシからなり、前記ブラシは前記像形成体に接触することを特徴とする請求項１に記載の画像形成装置。
【請求項３】
前記制御手段は、前記ブラシの前記像形成体への食い込み量を制御することにより前記潤滑剤塗布手段を制御することを特徴とする２に記載の画像形成装置。
【請求項４】
像形成体、潜像形成手段、現像手段、中間転写体、１次転写ローラによりトナー像を前記像形成体から前記中間転写体に転写する１次転写手段、２次転写ローラによりトナー像を前記中間転写体から転写材に転写する２次転写手段並びに前記像形成体及び前記中間転写体の少なくとも一つに潤滑剤を塗布する潤滑剤塗布手段を有する画像形成装置において、
前記像形成体上または前記中間転写体上のトナー付着量を検知する検知手段及び該検知手段の出力に基づいて、前記潤滑剤塗布手段を制御する制御手段を有することを特徴とする画像形成装置。
【請求項５】
前記現像手段は、トナーとキャリアを主成分とする二成分現像剤を用いて現像を行うことを特徴とする請求項１〜４のいずれか１項に記載の画像形成装置。
【請求項６】
前記潜像形成手段及び前記現像手段は、前記像形成体上に基準トナー像を形成し、前記検知手段は、前記基準トナー像におけるトナー付着量を検知することを特徴とする請求項４又は請求項５に記載の画像形成装置。
【請求項７】
前記現像手段は、３〜８μｍの個数平均粒径のトナーを用いて現像を行うことを特徴とする請求項１〜６のいずれか１項に記載の画像形成装置。
【請求項８】
前記現像手段において用いられるトナーの形状係数の変動係数は、１６％以下であり、個数分布における個数変動係数は、２７％以下であることを特徴とする請求項１〜７のいずれか１項に記載の画像形成装置。
【請求項９】
前記検知手段は前記像形成体上のトナー付着量を検知する第１検知手段、および前記中間転写体上のトナー付着量を検知する第２の検知手段を含み、
前記制御手段は前記第１検知手段の出力に基づいて前記潤滑剤塗布手段を制御する第１制御手段、および前記第２検知手段の出力に基づいて前記潤滑剤塗布手段を制御する第２制御手段を含むことを特徴とする請求項４〜８のいずれか１項に記載の画像形成装置。
【請求項１０】
前記潤滑剤塗布手段は、潤滑剤供給体及び該潤滑剤供給体に接触するブラシからなることを特徴とする請求項１〜９のいずれか１項に記載の画像形成装置。
【請求項１１】
前記ブラシは前記像形成体または前記中間転写体に接触することを特徴とする請求項４〜１０のいずれか１項に記載の画像形成装置。
【請求項１２】
前記制御手段は、前記ブラシの回転速度を制御することにより前記潤滑剤塗布手段を制御することを特徴とする請求項１０に記載の画像形成装置。
【請求項１３】
前記制御手段は、前記ブラシの前記潤滑剤供給体に対する押圧力を制御することにより前記潤滑剤塗布手段を制御することを特徴とする請求項１０に記載の画像形成装置。
【請求項１４】
前記制御手段は、前記ブラシの前記潤滑剤供給体に対する食い込み量を制御することにより前記潤滑剤塗布手段を制御することを特徴とする請求項１０に記載の画像形成装置。
【請求項１５】
前記制御手段は、前記ブラシの前記像形成体若しくは前記中間転写体への食い込み量を制御することにより前記潤滑剤塗布手段を制御することを特徴とする請求項１１に記載の画像形成装置。
【請求項１６】
前記１次転写ローラは、前記像形成体と前記中間転写体との接触開始位置よりも中間転写体移動方向下流側に配置されることを特徴とする請求項４〜１５のいずれか１項に記載の画像形成装置。
【請求項１７】
前記１次転写ローラは、前記像形成体と転写材との接触領域の中心点よりも中間転写体移動方向上流側、移動方向下流側それぞれ１０ｍｍの範囲内に配置されることを特徴とする請求項４〜１６のいずれか１項に記載の画像形成装置。
【請求項１８】
前記２次転写ローラは、前記中間転写体と転写材との接触領域の中心点よりも中間転写体移動方向上流側、移動方向下流側それぞれ２０ｍｍの範囲内に配置されることを特徴とする請求項４〜１７のいずれか１項に記載の画像形成装置。
【請求項１９】
前記１次転写手段の中間転写体移動方向上流側に配置され前記中間転写体を前記像形成体に接触させるニップ形成部材を有し、該ニップ形成部材は、少なくとも転写工程の実行中を除いて前記像形成体に接触しない位置に設定されるように変位可能であることを特徴とする請求項４〜１８のいずれか１項に記載の画像形成装置。
【請求項２０】
前記ニップ形成部材は、金属製の従動ローラからなることを特徴とする請求項１９に記載の画像形成装置。
【請求項２１】
前記１次転写ローラは金属からなる軸上にスポンジ状のゴム層を形成したローラからなることを特徴とする請求項４〜２０のいずれか１項に記載の画像形成装置。
【請求項２２】
前記中間転写体は、体積抵抗率が１×１０4〜１×１０13Ωｃｍの無端状のベルトからなることを特徴とする請求項４〜２１のいずれか１項に記載の画像形成装置。
【請求項２３】
前記２次転写ローラは１×１０5〜１×１０10Ωの抵抗値を有することを特徴とする請求項２２に記載の画像形成装置。
【請求項２４】
前記２次転写ローラに対して前記中間転写体を押圧するバックアップ部材を有し、前記２次転写ローラ及び前記バックアップ部材はそれぞれ１×１０5〜１×１０10Ωの抵抗値を有することを特徴とする請求項４〜２３のいずれか１項に記載の画像形成装置。
【請求項２５】
前記２次転写手段は前記中間転写体に対して接離可能な２次転写ローラを有し、該２次転写ローラは、転写材の先端縁から所定距離前方の位置及び転写材の後端縁から所定距離後方の位置の間で前記中間転写体に接触して転写材を前記中間転写体に押圧する以外は、前記中間転写体から離れることを特徴とする請求項４〜２４のいずれか１項に記載の画像形成装置。
【請求項２６】
前記先端縁からの所定距離及び前記後端縁からの所定距離はそれぞれ１００ｍｍに設定されることを特徴とする請求項２５に記載の画像形成装置。
【請求項２７】
前記像形成体、前記潜像形成手段、前記現像手段を有する画像形成部を複数有しカラー画像を形成することを特徴とする請求項１〜２６のいずれか１項に記載の画像形成装置。
【手続補正２】
【補正対象書類名】明細書
【補正対象項目名】０１８３
【補正方法】変更
【補正の内容】
【０１８３】
【発明の効果】
以上に記載の発明により、ベタ画像の中央部が未転写となる中抜け現象が良好に防止されるとともに、トナーフィルミングによる地肌汚れ、カブリ、濃度低下等が良好に防止され、鮮明で高い濃度の画像を形成する画像形成装置が実現される。
【手続補正３】
【補正対象書類名】明細書
【補正対象項目名】０１８４
【補正方法】変更
【補正の内容】
【０１８４】
また高い解像力を有し鮮鋭性に優れた高い画質の画像を形成する画像形成装置が実現される。
【手続補正４】
【補正対象書類名】明細書
【補正対象項目名】０１８５
【補正方法】変更
【補正の内容】
【０１８５】
またカブリや黒ポチが防止され、感光体の摩耗劣化が防止され、高い画像濃度の画像を形成する画像形成装置が実現される。
【手続補正５】
【補正対象書類名】明細書
【補正対象項目名】０１８６
【補正方法】変更
【補正の内容】
【０１８６】
また潤滑剤の塗布量を調節することができるので、環境の変動を初めとする種々の画像形成条件が変動した場合であっても、変動により中抜けが発生する等の不具合が防止される。
【手続補正６】
【補正対象書類名】明細書
【補正対象項目名】０１８７
【補正方法】変更
【補正の内容】
【０１８７】
また中間転写から転写材にトナー像を転写する２次転写が安定して実施されるので、高い画質の画像を安定して形成する画像形成装置が実現される。
【手続補正７】
【補正対象書類名】明細書
【補正対象項目名】０１８８
【補正方法】変更
【補正の内容】
【０１８８】
また鮮明で高い濃度のカラー画像を形成する画像形成装置が実現される。
【手続補正８】
【補正対象書類名】明細書
【補正対象項目名】０１８９
【補正方法】変更
【補正の内容】
【０１８９】
また転写における画像の散り等が防止されて高い転写率で転写が行われ、高い画質の画像を形成する画像形成装置が実現される。
【手続補正９】
【補正対象書類名】明細書
【補正対象項目名】０１９０
【補正方法】変更
【補正の内容】
【０１９０】
また像形成体から中間転写体にトナー像を形成する転写が安定して実施されるので、高い画質の画像を安定して形成する画像形成装置が実現される。
【手続補正１０】
【補正対象書類名】明細書
【補正対象項目名】０１９１
【補正方法】変更
【補正の内容】
【０１９１】
また中間転写体は、非作動時には像形成体から離れるか又は像形成体に低い圧力で接触するので、接触圧による感光体等の像形成体の劣化が防止され、像形成体の寿命が延長される。
【手続補正１１】
【補正対象書類名】明細書
【補正対象項目名】０１９２
【補正方法】変更
【補正の内容】
【０１９２】
また中間転写体と２次転写ローラとの接触が非作動時に解除されるので、中間転写体及び２次転写ローラの劣化が防止され、これらの寿命が延長される。
【手続補正１２】
【補正対象書類名】明細書
【補正対象項目名】０１９３
【補正方法】変更
【補正の内容】
【０１９３】
また中抜けが安定して防止され高い画質の画像を形成する画像形成装置が実現される。